(57)【要約】【課題】光ディスク回転駆動機構の駆動により光ディスクが回転する際に生じる騒音等を抑制することのできるディスク装置を提供すること。【解決手段】本発明のディスク装置１は、金属板で構成された天板２３、底板および側板２２２ａを備える外装ケース２５を有している。このディスク装置１では、天板２３や前記底板の外周部の少なくとも一部には、Ｌ字状に曲げられたＬ曲げ部９が形成されており、側板２２２ａは、Ｌ曲げ部９の外面９１に接触する接触部２２３と、Ｌ曲げ部９の内面９２を受けるように形成された少なくとも１つのＺ字状に曲げられたＺ曲げ部１０とを有し、Ｌ曲げ部９やＺ曲げ部１０は、両者の接合面１８１に形成された凸部１８を有し、Ｚ曲げ部１０は、該凸部１８により内側に向かって押圧されている。【選択図】図５
2005044472.tif 000002
【特許請求の範囲】
【請求項１】
光ディスクに記録された情報を再生する機能を有するディスク装置であって、
金属板で構成された天板、底板および側板を備える外装ケースを有する装置本体と、
前記装置本体に光ディスクを装填する装填位置と、該装填位置より前側の、光ディスクを排出する排出位置とに移動可能なディスクトレイと、
前記装置本体内で変位可能に設置されたシャーシと、
前記シャーシに搭載され、光ディスクを装着するターンテーブルを有し、前記シャーシの変位により前記装置本体内で上昇位置と下降位置とに移動する光ディスク回転駆動機構と、
前記天板に対し回転可能に設置され、前記光ディスク回転駆動機構が前記上昇位置に移動したとき前記ターンテーブルとの間で光ディスクを挟持するディスククランパとを備え、
前記天板および／または前記底板の外周部の少なくとも一部には、Ｌ字状に曲げられたＬ曲げ部が形成されており、
前記側板は、前記Ｌ曲げ部の外面に接触する接触部と、前記Ｌ曲げ部の内面を受けるように形成された少なくとも１つのＺ字状に曲げられたＺ曲げ部とを有し、
前記Ｌ曲げ部および／または前記Ｚ曲げ部は、両者の接合面に形成された凸部を有し、前記Ｚ曲げ部は、該凸部により内側に向かって押圧されていることを特徴とするディスク装置。
【請求項２】
前記凸部の高さは、前記Ｚ曲げ部の段曲げ高さから前記Ｚ曲げ部の板厚および前記Ｌ曲げ部の板厚を減じた距離以上に設定されている請求項１に記載のディスク装置。
【請求項３】
前記Ｌ曲げ部の縁部は、前記Ｚ曲げ部の段曲げが形成されている段曲げ部に当接している請求項１または２に記載のディスク装置。
【請求項４】
前記側板は、一つの辺に複数の前記Ｚ曲げ部を有する請求項１ないし３のいずれかに記載のディスク装置。
【請求項５】
前記底板と、互いに対向する一対の前記側板とは、一体的に形成されており、前記天板に前記Ｌ曲げ部が形成されている請求項１ないし４のいずれかに記載のディスク装置。
【発明の詳細な説明】
【技術分野】
【０００１】
本発明は、光ディスクを再生、または記録／再生するディスク装置に関する。
【背景技術】
【０００２】
ＣＤ−ＲＯＭ、ＣＤ−Ｒ、ＣＤ−ＲＷ、ＤＶＤ等の光ディスクを再生、または記録／再生するディスク装置が知られている。このディスク装置は、箱状の装置本体と、該装置本体に対し移動可能なディスクトレイとを有し、光ディスクは、ディスクトレイに収納され、ディスクトレイの移動により装置本体に装填される。装置本体内部には、ターンテーブルを有する光ディスク回転駆動機構が搭載されたシャーシが上下動可能に設置されている。また、装置本体の天板には、ディスククランパが回転可能に設置されている（例えば、特許文献１参照）。
【０００３】
装置本体に光ディスクが装填されると、シャーシとともにターンテーブルが上昇することにより、ターンテーブルに光ディスクが装着され、さらに、ディスククランパがターンテーブルとの間で光ディスクを挟持する。この状態で、光ディスク回転駆動機構の駆動により、ターンテーブルが回転し、それに伴い、光ディスクおよびディスククランパが回転する。
【０００４】
さて、このようなディスク装置では、光ディスク回転駆動機構の駆動により光ディスクが回転する際、その回転等により振動が発生し、騒音を招いていた。
【０００５】
さらに、この騒音は、装置本体を覆う複数の部材同士の接合稜付近の間隙から洩れるという問題があった。
【０００６】
【特許文献１】実開平７−４１７３６号公報
【発明の開示】
【発明が解決しようとする課題】
【０００７】
本発明の目的は、光ディスク回転駆動機構の駆動により光ディスクが回転する際に生じる騒音等を抑制することのできるディスク装置を提供することにある。
【課題を解決するための手段】
【０００８】
このような目的は、下記（１）〜（５）の本発明により達成される。
（１）  光ディスクに記録された情報を再生する機能を有するディスク装置であって、
金属板で構成された天板、底板および側板を備える外装ケースを有する装置本体と、
前記装置本体に光ディスクを装填する装填位置と、該装填位置より前側の、光ディスクを排出する排出位置とに移動可能なディスクトレイと、
前記装置本体内で変位可能に設置されたシャーシと、
前記シャーシに搭載され、光ディスクを装着するターンテーブルを有し、前記シャーシの変位により前記装置本体内で上昇位置と下降位置とに移動する光ディスク回転駆動機構と、
前記天板に対し回転可能に設置され、前記光ディスク回転駆動機構が前記上昇位置に移動したとき前記ターンテーブルとの間で光ディスクを挟持するディスククランパとを備え、
前記天板および／または前記底板の外周部の少なくとも一部には、Ｌ字状に曲げられたＬ曲げ部が形成されており、
前記側板は、前記Ｌ曲げ部の外面に接触する接触部と、前記Ｌ曲げ部の内面を受けるように形成された少なくとも１つのＺ字状に曲げられたＺ曲げ部とを有し、
前記Ｌ曲げ部および／または前記Ｚ曲げ部は、両者の接合面に形成された凸部を有し、前記Ｚ曲げ部は、該凸部により内側に向かって押圧されていることを特徴とするディスク装置。
【０００９】
（２）  前記凸部の高さは、前記Ｚ曲げ部の段曲げ高さから前記Ｚ曲げ部の板厚および前記Ｌ曲げ部の板厚を減じた距離以上に設定されている上記（１）に記載のディスク装置。
【００１０】
（３）  前記Ｌ曲げ部の縁部は、前記Ｚ曲げ部の段曲げが形成されている段曲げ部に当接している上記（１）または（２）に記載のディスク装置。
【００１１】
（４）  前記側板は、一つの辺に複数の前記Ｚ曲げ部を有する上記（１）ないし（３）のいずれかに記載のディスク装置。
【００１２】
（５）  前記底板と、互いに対向する一対の前記側板とは、一体的に形成されており、前記天板に前記Ｌ曲げ部が形成されている上記（１）ないし（４）のいずれかに記載のディスク装置。
【発明の効果】
【００１３】
本発明によれば、光ディスク回転駆動機構の駆動により光ディスクが回転する際に生じる騒音等が洩れないような外装ケースを形成することにより、このような騒音等を抑制することができる。
【発明を実施するための最良の形態】
【００１４】
以下、本発明のディスク装置を添付図面に示す好適な実施形態に基づいて詳細に説明する。
【００１５】
図１は、本発明のディスク装置の実施形態を示す平面図、図２は、図１に示すディスク装置の内部構造を示す平面図、図３は、図１に示すディスク装置を示す断面側面図、図４は、本発明のディスク装置の実施形態を示す側面図、図５は、図４中のＡ−Ａ線断面図、図６は、図４中のＢ−Ｂ線断面図である。なお、以下では、説明の都合上、特に述べない限り、図１および図２の左方を「左」、右方を「右」、図３および図４中の左方を「前」、右方を「後」、図３ないし図６中の上方を「上」、下方を「下」として説明する。
【００１６】
これらの図に示すディスク装置１は、音楽用ＣＤ、ＣＤ−ＲＯＭ、ＣＤ−Ｒ、ＣＤ−ＲＷ、ＤＶＤ等の光ディスク２００に記録された情報を再生する機能（または記録／再生する機能）を有する装置であって、例えばパソコンのようなコンピュータ装置（図示せず）の本体に対し設置されるものである。
【００１７】
これらの図に示すように、ディスク装置１は、外装ケース２５を有する装置本体２と、光ディスク２００を載置し、装置本体２に対し前後方向に移動するディスクトレイ１１と、装置本体２内に設置されたスレッドメカユニット３とを備えている。以下、各部の構成について説明する。
【００１８】
図１ないし図３に示すように、装置本体２は、フレーム２１と、フレーム２１を覆うように構成された外装ケース２５と有している。
【００１９】
外装ケース２５は、フレーム２１の下部を覆う底板２２１と、側部を覆う側板２２２ａ、２２２ｂ、２２２ｃおよび２２２ｄと、フレーム２１の上部を覆う天板（蓋体）２３とを有している。
【００２０】
フレーム２１には、ディスクトレイ１１、ディスクトレイ移動機構１６、スレッドメカユニット３、メイン回路基板１２等が設置（搭載）されている。
【００２１】
フレーム２１には、前述した外装ケース２５が有している部材が例えばビス止めにより固定されている。また、フレーム２１と天板２３との間には、ディスクトレイ１１を収納する空間が形成される。
【００２２】
なお、フレーム２１およびディスクトレイ１１は、それぞれ、樹脂材料で成形されたものである。また、前述した外装ケース２５が有している部材は、それぞれ、金属板をプレス成形等により所定に変形させてなる板状部材である。
【００２３】
天板２３の後述するターンテーブル５２に対向する部分には、内面側に盛り上がるような凹部２３１が成形されており、ディスククランパ８がこの凹部２３１に回転可能に設置されている。なお、凹部２３１の外側は、円板２４により塞がれているのが好ましい。
【００２４】
メイン回路基板１２には、ディスク装置１の諸動作を制御する回路が形成されているとともに、前記コンピュータ装置の本体と接続するためのインターフェイスコネクタや、マイクロプロセッサ、メモリ、モータドライバなどの各種ＩＣや、抵抗、コンデンサ、スイッチなどの各種電子部品が搭載されている。図３に示すように、メイン回路基板１２は、後述するスレッドメカユニット３（シャーシ４）の下側に設置されている。
【００２５】
ディスクトレイ１１は、浅い凹状のディスク収納部１１１を有しており、光ディスク２００は、このディスク収納部１１１に収納された状態で搬送される。
【００２６】
ディスクトレイ１１は、フレーム２１に搭載されたディスクトレイ移動機構１６の駆動により、装置本体２に対し前後方向に移動（摺動）する。すなわち、ディスクトレイ１１は、装置本体２に対し、光ディスク２００を装填する装填位置（図３に示す位置）と、光ディスク２００を排出する排出位置（図１に示す位置）とに移動可能になっている。ディスクトレイ１１が装填位置にある状態（以下、「装填状態」と言う）では、ディスクトレイ１１は、その全体が装置本体２に収納される。ディスクトレイ１１が排出位置にある状態（以下、「排出状態」と言う）では、ディスクトレイ１１は、その大半が装置本体２より前方に突出する。
【００２７】
図２に示すように、装置本体２の内部には、スレッドメカユニット３を支持する枠部材１３が設置されている。枠部材１３は、ほぼ長方形の枠状をなしており、その後端部には、軸１３１が両側にそれぞれ突出形成されている。軸１３１は、フレーム２１に形成された受け部に回動可能に支持されている。これにより、枠部材１３は、装置本体２に対し軸１３１を中心として回動可能になっている。
【００２８】
枠部材１３は、駆動機構１７の駆動により、装填状態では天板２３および底板２２１とほぼ平行な姿勢となり（図３参照）、排出状態ではその前方側が下方向に変位して天板２３および底板２２１に対し傾斜した姿勢となるように変位する。
【００２９】
枠部材１３の内側には、スレッドメカユニット３が位置している。スレッドメカユニット３は、主に、シャーシ４と、光ディスク回転駆動機構５と、光ピックアップ（光学ヘッド）６と、光ピックアップ移動機構７とで構成されている。
【００３０】
シャーシ４は、縁部にリブ（壁部）が形成されたほぼ板状の形状をなしており、このシャーシ４に光ディスク回転駆動機構５と、光ピックアップ６と、光ピックアップ移動機構７とがそれぞれ設置（搭載）されている。
【００３１】
シャーシ４は、３個のゴムブッシュ（弾性部材）１４を介して枠部材１３に固定されている。すなわち、シャーシ４は、装置本体２に対しゴムブッシュ１４を介して支持されている。このゴムブッシュ１４により、振動や衝撃を吸収することができる。
【００３２】
光ディスク回転駆動機構５は、スピンドルモータ５１と、該スピンドルモータ５１のロータ５１１に固定されたターンテーブル５２とを有しており、シャーシ４の前側に設置されている。光ディスク回転駆動機構５は、ターンテーブル５２に光ディスク２００を装着（載置）して、この光ディスク２００を回転駆動するものである。
【００３３】
光ピックアップ６は、対物レンズ６１と、該対物レンズ６１を光軸方向（フォーカシング）および光ディスク２００の半径方向（トラッキング）に駆動するアクチュエータ６２と、レーザ光源と、集光光学系と、ビームスプリッタ（またはハーフミラー）と、情報検出用およびフォーカシング信号、トラッキング信号検出用の受光素子と、これらを支持する支持部材６３とを備え、光ディスク２００の記録面へ照射されたレーザ光の反射光を、対物レンズ、ビームスプリッタ（またはハーフミラー）等を介して受光素子へ導く構成のものである。
【００３４】
対物レンズ６１は、装填状態では、ディスクトレイ１１に形成された開口１１２よりディスク収納部１１１内に露出し、光ディスク２００の記録面と対面する。
【００３５】
支持部材６３は、例えばダイキャストで製造されるような金属材料で構成されている。支持部材６３の図２中の左側には、ガイドシャフト７６を挿通する孔が形成された一対の摺動部６４が形成されている。また、支持部材６３の図２中の右側には、ガイドシャフト７７に係合し、このガイドシャフト７７に沿って摺動する摺動部６５が形成されている。
【００３６】
光ピックアップ移動機構７は、正転／逆転可能なスレッドモータ７１と、該スレッドモータ７１の回転軸に固定されたウォーム７２と、該ウォーム７２に噛合する大径ギア７３と、大径ギア７３に固定されかつ同軸で回転する小径ギア７４と、支持部材６３に固定され、小径ギア７４と噛合するラックギア７５と、支持部材６３の移動経路を規定し、これを案内する一対のガイドシャフト７６および７７とで構成されている。
【００３７】
スレッドモータ７１が駆動すると、その回転力がウォーム７２、大径ギア７３、小径ギア７４およびラックギア７５に順次伝達され、支持部材６３がガイドシャフト７６、７７に沿って光ディスク２００の径方向（半径方向）に所定の移動範囲内で移動する。この場合、スレッドモータ７１の回転方向により、支持部材６３は、光ディスク２００の回転中心に接近する方向または回転中心から遠ざかる方向に移動する。
【００３８】
シャーシ４（スレッドメカユニット３）は、枠部材１３と共に装置本体２に対し回動する。図３に示すように、この回動中心である軸１３１は、シャーシ４の後端付近に位置する。すなわち、シャーシ４の後端は、回動中心となり装置本体２に対しほぼ変位しない回動端４１であり、シャーシ４の前端は、装置本体２に対しほぼ上下方向に変位する変位端４２になっている。
【００３９】
このような構成により、シャーシ４（スレッドメカユニット３）は、装填状態では、変位端４２側が上昇して、天板２３および底板２２１にほぼ平行な姿勢になり（図３参照）、排出状態では、変位端４２側が下降して、天板２３および底板２２１に対し傾斜した姿勢になる。これに伴って、光ディスク回転駆動機構５は、装置本体２内で上昇位置（図３に示す位置）と下降位置とに移動する。
【００４０】
光ディスク回転駆動機構５が下降位置にあるときには、ターンテーブル５２は、ディスクトレイ１１の下側に位置し、排出位置に移動するディスクトレイ１１と干渉しないようになっている。
【００４１】
光ディスク回転駆動機構５が上昇位置にあるときには、ターンテーブル５２は、開口１１２よりディスク収納部１１１内に突出（露出）し、これにより、装置本体２内に装填された光ディスク２００がターンテーブル５２に装着（載置）される。この状態では、ディスククランパ８がターンテーブル５２に設置された磁石（図示せず）に吸着され、これにより、光ディスク２００がターンテーブル５２とディスククランパ８との間で挟持される。
【００４２】
さて、このようなディスク装置１では、図４ないし図６に示すように、天板２３の外周部２３２の少なくとも一部には、Ｌ字状に曲げられたＬ曲げ部９が形成されており、側板２２２ａおよび２２２ｃは、それぞれ、Ｌ曲げ部９の外面９１に接触する接触部２２３と、Ｌ曲げ部の内面９２を受けるように形成された少なくとも１つのＺ字状に曲げられたＺ曲げ部１０とを有している。Ｌ曲げ部９は、Ｌ曲げ部９とＺ曲げ部１０との接合面１８１に形成された凸部１８を有し、Ｚ曲げ部１０は、この凸部１８により内側に向かって押圧されている。なお、以降の側板に関する記載は、側板２２２ａを代表として記載することとする。
【００４３】
図５および図６に示すように、Ｌ曲げ部９は、天板２３に対してほぼ直角に、かつ内側に向かって曲げられた第１の曲げ部９３を有している。
【００４４】
図５に示すように、Ｚ曲げ部１０は、側板２２２ａに対してほぼ直角に、かつ内側に向かって曲げられた第１の曲げ部１０１と、該第１の曲げ部１０１に対してほぼ直角に、かつ外側に向かって（第１の曲げ部１０１の曲がる方向と反対方向に）曲げられた第２の曲げ部１０２とを有している。
【００４５】
天板２３と側板２２２ａとを組み合わせた際、Ｌ曲げ部９の第１の曲げ部９３の内側の面（内面９２）とＺ曲げ部１０の第２の曲げ部１０２の外側の面１０３とが接合する接合面１８１が生じる。
【００４６】
この接合面１８１には、凸部１８が形成されており、内面９２から内側に向かって突出したような形状をなしている。
【００４７】
図５に示すように、この凸部１８により、Ｚ曲げ部１０の面１０３（第２の曲げ部１０２）は、内側に向かって押圧されている。これに伴い、側板２２２ａが内側に引張られる（傾倒する）。これにより、図６に示すように、Ｚ曲げ部１０以外のところでも、側板２２２ａと第１の曲げ部９３とが密着することができ、より確実に接触部２２３が形成される。従って、外装ケース２５内が密閉された状態となり、光ディスク回転駆動機構５の駆動による光ディスク２００が回転する際に生じる騒音がディスク装置１の外側へ洩れることを防止することができる。すなわち、ディスク装置１の外側への騒音を抑制することができる。
【００４８】
また、このように外装ケース２５内が密閉されているので、ディスク装置１の周辺部（外側）からの粉塵がディスク装置１（外装ケース２５）内へ進入することを防止することができる。
【００４９】
凸部１８の高さ（図５中のαで示す長さ）は、Ｚ曲げ部１０の段曲げ高さ（図５中のｈで示す長さ）からＺ曲げ部１０の板厚（図５中のｕで示す長さ）およびＬ曲げ部９の板厚（図５中のｔで示す長さ）を減じた距離以上に設定されている。これにより、確実に側板２２２ａと第１の曲げ部９３とが密着することができ、騒音を効率よく抑制することができる。
【００５０】
また、図４に示すように、側板２２２ａは、一つの辺に複数（図示では２つ）のＺ曲げ部１０を有している。これにより、前述の効果をより確実に得ることができる。
【００５１】
天板２３と側板２２２ａとを組み合わせた際、Ｌ曲げ部９（第１の曲げ部９３）の縁部９３１は、Ｚ曲げ部１０の段曲げが形成されている段曲げ部（第１の曲げ部１０１）に当接している。すなわち、天板２３は、下方に移動することができない。これにより、天板２３を側板２２２ａに対し一定の高さに取り付ける（組み合わせる）ことができる。
【００５２】
また、これらによって、天板２３と側板２２２ａとが接合する接合強度が増大し、外装ケース２５の剛性が上がる。これにより、外装ケース２５に伝わる光ディスク２００の回転による振動を減少させることができる。
【００５３】
外装ケース２５は、底板２２１と、互いに対向する一対の側板（本実施形態では、側板２２２ａと２２２ｃ、側板２２２ｂと２２２ｄ）とが一体的に形成されている。これにより、外装ケース２５を構成する部品点数およびそれを組み立てる組立工数を削減することができる。
【００５４】
以上、本発明のディスク装置を図示の実施形態について説明したが、本発明は、これに限定されるものではなく、ディスク装置を構成する各部は、同様の機能を発揮し得る任意の構成のものと置換することができる。また、任意の構成物が付加されていてもよい。
【００５５】
なお、本発明のディスク装置は、本実施形態のように、Ｌ曲げ部が接合面に形成された凸部を有することに限定されない。例えば、Ｚ曲げ部が同様な凸部を有してもよいし、Ｌ曲げ部およびＺ曲げ部がそれぞれ同様な凸部を有してもよい。
【００５６】
また、本発明のディスク装置は、本実施形態のように、天板の外周部にＬ曲げ部が形成されていることに限定されない。例えば、底板の外周部の少なくとも一部に、同様なＬ曲げ部が形成されていてもよいし、天板および底板にそれぞれ同様なＬ曲げ部が形成されていてもよい。
【００５７】
また、本発明のディスク装置は、本実施形態のように、Ｚ曲げ部が側板の上方の辺に形成されていることに限定されない。例えば、Ｚ曲げ部が側板の下方の辺に形成されていてもよいし、両方の辺に形成されていてもよい。
【００５８】
また、本発明のディスク装置は、本実施形態のように、Ｌ曲げ部およびＺ曲げ部が外装ケースの左側および右側のそれぞれに形成されていることに限定されない。例えば、Ｌ曲げ部およびＺ曲げ部が外装ケースの前側に形成されていてもよいし、後側に形成されていてもよいし、前側および後側のそれぞれに形成されていてもよい。また、Ｌ曲げ部およびＺ曲げ部が前側、後側、左側および右側のそれぞれに形成されていてもよい。
【図面の簡単な説明】
【００５９】
【図１】本発明のディスク装置の実施形態を示す平面図である。
【図２】図１に示すディスク装置の内部構造を示す平面図である。
【図３】図１に示すディスク装置を示す断面側面図である。
【図４】本発明のディスク装置の実施形態を示す側面図である。
【図５】図４中のＡ−Ａ線断面図である。
【図６】図４中のＢ−Ｂ線断面図である。
【符号の説明】
【００６０】
１            ディスク装置
１１          ディスクトレイ
１１１        ディスク収納部
１１２        開口
１２          メイン回路基板
１３          枠部材
１３１        軸
１４          ゴムブッシュ
１６          ディスクトレイ移動機構
１７          駆動機構
１８          凸部
１８１        接合面
２            装置本体
２１          フレーム
２２１        底板
２２２ａ      側板
２２２ｂ      側板
２２２ｃ      側板
２２２ｄ      側板
２２３        接触部
２３          天板
２３１        凹部
２３２        外周部
２４          円板
２５          外装ケース
３            スレッドメカユニット
４            シャーシ
４１          回動端
４２          変位端
５            光ディスク回転駆動機構
５１          スピンドルモータ
５１１        ロータ
５２          ターンテーブル
６            光ピックアップ
６１          対物レンズ
６２          アクチュエータ
６３          支持部材
６４          摺動部
６５          摺動部
７            光ピックアップ移動機構
７１          スレッドモータ
７２          ウォーム
７３          大径ギア
７４          小径ギア
７５          ラックギア
７６          ガイドシャフト
７７          ガイドシャフト
８            ディスククランパ
９            Ｌ曲げ部
９１          外面
９２          内面
９３          第１の曲げ部
９３１        縁部
１０          Ｚ曲げ部
１０１        第１の曲げ部
１０２        第２の曲げ部
１０３        面
２００        光ディスク
２０１        孔
【図１】
2005044472.tif 000003
【図２】
2005044472.tif 000004
【図３】
2005044472.tif 000005
【図４】
2005044472.tif 000006
【図５】
2005044472.tif 000007
【図６】
2005044472.tif 000008